(57)【要約】【課題】人手を借りず自分の背中に貼り薬等のシートを正確且つ容易に貼付ける。【解決手段】この考案の貼付シートの貼付補助具は、表面側に人体の肌面に貼付けられる貼付シート１を剥離可能に仮付固定し、背面側に上記貼付シート１を人の肌面に押接して貼付固定させる操作部６を設けた貼付プレート９と、該貼付プレート９の前後端を連結して取付ける貼付枠７とを備え、貼付プレート９の連結端と貼付枠７との間に上記貼付プレート９の端部を貼付枠７に対して表裏両側方向に揺動可能に連結する連結体８を介設し、人体の肌面に表面側を押接した状態で前記操作部６の操作により貼付プレート９を揺動させて、貼付プレート９側の貼付シート１を肌面に貼付け固着させるものである。  貼付プレート９は表面側に押出した貼付姿勢で貼付シート１の貼付面が、貼付枠７の表面側より突出した姿勢である。【選択図】図２
0003220969.tif 000002
【実用新案登録請求の範囲】
【請求項１】
表面側に人体の肌面に貼付けられる貼付シート（１）を剥離可能に仮付固定し、背面側に上記貼付シート（１）を人の肌面に押接して貼付固定させる操作部（６）を設けた貼付プレート（９）と、該貼付プレート（９）の前後端を連結して取付ける貼付枠（７）とを備え、貼付プレート（９）の連結端と貼付枠（７）との間に上記貼付プレート（９）の端部を貼付枠（７）に対して表裏両側方向に揺動可能に連結する連結体（８）を介設し、人体の肌面に表面側を押接した状態で前記操作部（６）の操作により貼付プレート（９）を揺動させて、貼付プレート（９）側の貼付シート（１）を肌面に貼付け固着させる肌面用貼付シートの貼付補助具。
【請求項２】
貼付プレート（９）を表面側に押出した貼付姿勢で貼付シート（１）の貼付面が、貼付枠（７）の表面側より突出した姿勢である請求項１に記載の肌面用貼付シートの貼付補助具。
【請求項３】
貼付枠（７）の表面側外周縁に、貼付枠（７）の肌面の押接に先立って肌面に接触し、貼付シート（１）の貼付位置や傾きを感知させる目安となる接触部（１６）を複数個配設してなる請求項１又は２に記載の肌面用貼付シートの貼付補助具。
【請求項４】
貼付シート（１）の肌面への貼付固定強度を貼付プレート（９）への貼付シート（１）の仮付けの固定強度より強力な固定強度に設定してなる肌面用貼付シートの貼付補助具。
【請求項５】
貼付プレート（９）を操作した際に貼付プレート（９）を裏面側に引き込んだ格納姿勢と表面側に押出した貼付姿勢とをセットするストッパー（１３），（１４）を設けてなる請求項１〜４のいずれかに記載の肌面用貼付シートの貼付補助具。
【請求項６】
貼付プレート（９）の前後又は左右の両端をそれぞれ連結体（８）を介して貼付枠（７）に連結し、一方の連結体（８）の回動と他方の連結体（８）の回動を各別に回動させることにより、貼付プレート（９）を貼付シート（１）の肌面への貼付操作前後の姿勢に切換える機構とした請求項１〜５のいずれかに記載の肌面用貼付シートの貼付補助具。
【請求項７】
貼付プレート（９）の表面に弾力性を備えたラバー（１２）を貼付け、該ラバー（１２）の表面側を貼付シート（１）の仮付固定用の仮付面（１２ａ）とした請求項１〜６のいずれかに記載の肌面用貼付シートの貼付補助具。
【請求項８】
貼付シート（１）を仮付固定する貼付プレート（９）側の面を不乾のりを塗布した仮付面（１２ａ）とした請求項１〜７のいずれかに記載の肌面用貼付シートの貼付補助具。
【請求項９】
操作部（６）が貼付プレート（９）の背面側に着脱可能に先端を取付け、山形に湾曲又は屈曲させて形成したハンドル（４）である請求項１〜８のいずれかに記載の肌面用貼付シートの貼付補助具。
【請求項１０】
操作部（６）が貼付プレート（９）の裏面側に突設した把手部（３）である請求項１〜９のいずれかに記載の肌面用貼付シートの貼付補助具。
【考案の詳細な説明】
【技術分野】
【０００１】
この考案は湿布等のシート状の貼り薬，大型サイズの絆創膏，温熱シート，冷温シート等人の肌面に貼り付ける貼付シートを特に背中や肩の背面等に正確に貼り付けるための肌面用貼付シートの貼付補助具に関する。
【背景技術】
【０００２】
従来上記のような貼付シートを人体の背中等の背面側の正確な位置と向きで、シワ等を生じることなく効果的に貼り付けるのを補助する貼付用補助具として、特許文献１又は同２等が公知である。
【０００３】
特許文献１の補助具は、補助具本体の表面に中央が山形に膨らんだ湿布保持面を形成し、湿布保持面に沿って湿布を伸展させて仮固定（貼付け）し、背面側のバンド又は取っ手（柄）によって補助具本体を肌面上で操作し、湿布を貼り付けるものである。
【０００４】
また同文献２のものは四辺が内向きに湾曲した状態の２組の弾性板（矩形シート）を星形の筒状に連結して本体部を形成し、表面側のＶ字形表面に仮止めして貼り付けた貼付シート（貼付剤）を、上記弾性板が重なり合うように押圧変形させることによって、貼付シートを肌面に貼付固定するものであり、上記押圧変形操作は本体部の上に取付けられた板状の湾曲したハンドル部によって行う機構となっている。
【先行技術文献】
【特許文献】
【０００５】
【特許文献１】特開２０１４−１０８３３３号公報
【特許文献２】特開２００５−２１８７５４号公報
【考案の概要】
【考案が解決しようとする課題】
【０００６】
しかし、特許文献１，同２のものはいずれも貼付時に本体表面側に露出した貼付シート（湿布２０，貼付剤５０）の貼付面が、いきなり肌面に押接される構造になっているため、肌面に貼付シートが最初に押接された時点で貼付位置や向き等の貼付姿勢が決められる。
【０００７】
このため最初の貼付シートの押接位置や姿勢が不正確な場合は、後の修正が困難で、無理に修正するとシワの発生原因になるほか、正確に貼り付けるためには貼付シートを交換して貼付作業のやり直しが必要になるという欠点がある。
【０００８】
また貼付け時の肌面への押接は、棒状取っ手やハンドル部による押圧力のみに頼るため、目視できない背中面での貼付作業が正確に行い難いという問題がある。
【課題を解決するための手段】
【０００９】
上記課題を解決するための本考案の加熱装置は、第１に表面側に人体の肌面に貼付けられる貼付シート１を剥離可能に仮付固定し背面側に上記貼付シート１を人の肌面に押接して貼付固定させる操作部６を設けた貼付プレート９と、該貼付プレート９の前後端を連結して取付ける貼付枠７とを備え、貼付プレート９の連結端と貼付枠７との間に上記貼付プレート９の端部を貼付枠７に対して表裏両側方向に揺動可能に連結する連結体８を介設し、人体の肌面に表面側を押接した状態で前記操作部６の操作により貼付プレート９を揺動させて、貼付プレート９側の貼付シート１を肌面に貼付け固着させることを特徴としている。
【００１０】
第２に、貼付プレート９を表面側に押出した貼付姿勢で貼付シート１の貼付面が、貼付枠７の表面側より突出した姿勢であることを特徴としている。
【００１１】
第３に、貼付枠７の表面側外周縁に、貼付枠７の肌面の押接に先立って肌面に接触し、貼付シート１の貼付位置や傾きを感知させる目安となる接触部１６を複数個配設してなることを特徴としている。
【００１２】
第４に、貼付シート１の肌面への貼付固定強度を貼付プレート９への貼付シート１の仮付けの固定強度より強力な固定強度に設定してなることを特徴としている。
【００１３】
第５に、貼付プレート９を操作した際に貼付プレート９を裏面側に引き込んだ格納姿勢と表面側に押出した貼付姿勢とをセットするストッパー１３，１４を設けてなることを特徴としている。
【００１４】
第６に、貼付プレート９の前後又は左右の両端をそれぞれ連結体８を介して貼付枠７に連結し、一方の連結体８の回動と他方の連結体８の回動を各別に回動させることにより、貼付プレート９を貼付シート１の肌面への貼付操作前後の姿勢に切換える機構としたことを特徴としている。
【００１５】
第７に、貼付プレート９の表面に弾力性を備えたラバー１２を貼付け、該ラバー１２の表面側を貼付シート１の仮付固定用の仮付面１２ａとしたことを特徴としている。
【００１６】
第８に、貼付シート１を仮付固定する貼付プレート９側の面を不乾のりを塗布した仮付面１２ａとしたことを特徴としている。
【００１７】
第９に、操作部６が貼付プレート９の背面側に着脱可能に先端を取付け、山形に湾曲又は屈曲させて形成したハンドル４であることを特徴としている。
【００１８】
第１０に、操作部６が貼付プレート９の裏面側に突設した把手部３であることを特徴としている。
【考案の効果】
【００１９】
以上のように構成される本考案の補助具によれば、次のような効果を奏する。
（１）貼付シートを仮固定した補助具は、他人の助けを借りない１人作業であっても予め貼付位置に貼付枠の表面を当接した状態で、貼付位置や傾きを操作しない側の手や肌面への貼付枠の接触感覚に応じて予め調節又は修正して正確に決めることができ、貼付作業自体も煩わしさが著しく軽減される。また貼付枠の表面側周縁に複数の接触部を設けることにより、貼付枠の当接位置や角度が正確に調整又は修正できる。
【００２０】
（２）貼付シートの肌面への接着固定強度を貼付プレートへの仮付固定強度よりも高強度にしているため、貼付後に貼付プレートを格納姿勢に戻す時も、貼付シートは確実に肌面側に固着状態で残される。
【００２１】
（３）貼付プレートの格納姿勢と貼付姿勢がストッパーによって固定的にセットするため、貼付枠の肌面への押接、位置決め等の操作や貼付操作が安定的且つ確実に行われる。
【００２２】
（４）貼付プレートと貼付枠を連結する連結体を貼付プレートの２つの揺動端の両側に設け、これらを各別に回動操作することにより、格納姿勢と貼付姿勢に切換操作するので、上記ストッパーと相まって２つの固定姿勢が安定的に保持でき、両操作が少ない力で容易且つ正確に行われる。
【００２３】
（５）操作部として湾曲又は屈曲したハンドルを用いる場合は、手の届かない背中側の貼付操作に便利であり、把手とした場合は、手の届く貼付位置であればハンドルを用いることなく、直接手によって容易且つ正確に貼付作業ができる。
【図面の簡単な説明】
【００２４】
【図１】本考案の補助具の全体斜視図である。
【図２】補助具の本体部の機構と作動状態を示す側面断面図である。
【図３】補助具の本体部の表面側（貼付面側）を表す底面図である。
【図４】ハンドルを用いた補助具の使用状態を示す側面図である。
【図５】補助具の本体部の他の実施例を示す裏面（背面）側斜視図である。
【図６】貼付けられた貼付シート又は同シートの剥離紙を剥離させる際に用いる剥離用具の例を示す斜視図である。
【考案を実施するための形態】
【００２５】
図１〜図４は本考案の１実施形態を示し、この例では湿布等の貼り薬からなる貼付シート１を仮付固定する平面視長方形又は正方形等からなる本体部２と、該本体部２の背面側に、ホルダー部３とハンドル４とからなる貼付操作用の操作部６とを備えている。貼付シート１は袋状であってもよい。
【００２６】
本体部２は内側が空きスペース７ａとなっている額縁状の貼付枠７と、上記空きスペース７ａ内で表裏（上下）方向に移動可能に収容される長方形又は正方形等四角形（又はその他の多角形でもよい）の貼付プレート９とを備え、該貼付プレート９は前後端を横長のプレート（又は枠体でも良い）からなる連結体８を介して、各端部が回動屈伸可能に連結されている。各回動支点１１ａ，１１ｂはヒンジを取付け（図２，図３参照）若しくはヒンジ構造にするか、又は貼付プレート９と連結体８がプラスチック材の場合は、両者の連結部分をフレキシブルな肉薄の折曲げ部とすることもできる。
【００２７】
操作部６のホルダー部３は、貼付プレート９の背面（上面）中央にブロック状に形成された突起からなり、貼付プレート９がプラスチック製の場合はこれと一体成形してもよく、別体のものを取付けてもよい。貼付プレート９の表面（貼付面）を背中の肌面に押接できるように肩越しに湾曲又は屈曲した形状に形成され、このハンドル４を手元で前後に揺動操作することにより、貼付プレート９を後述するように傾動させてその表面側に仮付固定した貼付シート１を背中の患部に貼り付けるものである。
【００２８】
このハンドル４の先端はホルダー部３の中心部に固定的に取付けてもよいが、図１，図２に示すように、ホルダー部３に形成した正方形等の正多角形の差込穴３ａに挿脱可能に差込固定し、差込角度を変更することにより、患部の向きや大きさ等に合せて貼付方向を変更することが可能となる。
【００２９】
図２は上記本体部２の詳細と貼付プレート９の機能を示す側面断面図で、この状態（貼付プレート９の格納姿勢）から貼付プレート９の支店１ａを例えば矢印ａ方向に回動させると、その回動支点１１はＡ1からＡ2の角度に回動移動するとともに、他方の回動支点１１ａはＢ1位置からＢ2位置に回動移動し、続いて同回動支点１１ａをＢ2からＢ3位置に回動させると、貼付プレート９は貼付枠７の表面（下面）に平行な姿勢で表面側より突出する。但し、この操作はハンドル４を取付けずに貼付プレート９自体を傾動させて行うことができる。
【００３０】
この姿勢（貼付姿勢）で、貼付プレート９の表面に貼付シート１の背面（貼付面の反対面）を貼付プレート９の表面に仮付固定し、再度貼付プレート９を上記の逆順に傾動させて図１，図２の実線で示す格納姿勢に復帰させ、ハンドル４を取付けて貼付待機状態にする。
【００３１】
貼付プレート９の表面側（貼付面側）には、貼付シート１を人の肌面に確実に押接して密着させるために、ゴム又はスポンジ（発泡材）等からなる弾力性を備えたラバー１２が貼付けられており、その表面には例えば不乾のり等が塗布された仮付面１２ａが形成されており、貼付シート１はこの仮付面１２ａに剥離可能に仮付固定される。他方、貼付シート１の表面（貼付面）には、人の肌面に貼付固定するための接着剤付の接着面が形成されるほか、その接着面の表面には保護カバー用の剥離シート１ａが剥離可能に貼着されている。
【００３２】
上記仮付面１２ａの接着固定力は、次に述べる貼付シート１を人の肌面に貼付固定した後は、その貼付固定力より弱く、貼付プレート９を肌面より離すと貼付シート１が貼付プレート９側から簡単に剥離される固定力に設定されており、この貼付面１２ａは、繰返し接着剥離が可能になっている。またこの貼付シート１の仮付固定は、上記のような接着固定に限られたものではなく、例えば貼付プレート９側の外周縁に弾力的に貼付シート１の端部を弾力的に押接挟持して仮付固定するクリップ（図示しない）を設けたものでもよい。
【００３３】
なお、貼付プレート９が上記格納姿勢と貼付姿勢を保持するために、貼付枠７の連結体８の取付端には各姿勢になった際に、各連結体８の裏面と表面を当接させて、所定の角度以上回動しないように上ストッパー１３，下ストッパー１４がそれぞれ内向きに突設されている。ストッパー１３，１４のストッパー面は内向きのＶ字形の谷面となっている。
【００３４】
このストッパー１３，１４により貼付プレート９はそれぞれの姿勢で貼付枠７と平行に且つ両端の連結体８とともに、側面視でそれぞれ上向きと下向きの台形状に保持され、両方の切換えが択一的に行われ且つ両姿勢の保持が可能なように、貼付枠７の中空部７ａ、貼付プレート９及び各連結体８の寸法設定が行われている。
【００３５】
ちなみに上記姿勢切換えに際し、後順位で回動させる回動支点１１ａは、図２の例ではＢ2位置からＢ3位置に変更される際に、山形から谷形の屈曲に移行する途中で直線状に突合わされた状態から択一的に姿勢が決まる「支点越え」作動をする。
【００３６】
予め貼付プレート９に仮付固定され、剥離シート１ａが剥離された状態の貼付シート１の人体への肌面への貼付けは、例えば背中に貼付ける場合は図４に示す状態で行うが、この時本体部２の位置や向きは、姿見（鏡）等がない状態では肌面への接触感覚に頼ることになるが、その際、貼付枠７の表面側の外周縁に複数個突設した爪状の突起からなる接触部１６が先に肌面に接触し、本体部２（即ち貼付シート１）の向きや位置を判別し易くなり、これらの調整の助けとなる。この接触部１６は必ずしも爪状の突起である必要はなく、例えば、貼付枠７の表面とは異なる接触感のものを部分的に配設してもよい。
【００３７】
また貼付位置等によっては、ハンドル４を横方向にして操作すること若しくは本体部２に対するハンドル４の取付の向きを変えて行うことができる。
【００３８】
図５は本体部２の操作部６における他の実施形態を示し、この例ではホルダー部３を中心でクロスする十字形い突設形成し、ハンドル４の先端にはこの十字形のクロスした四隅に沿って方向選択可能に差込む４本の差込爪４ｃが突設され、この爪４ｃを挿脱可能に差込むことによってハンドル４の取付けを行うほか、手が届く患部に貼付シート１を貼付ける際に、ハンドル４を取付けないでホルダー部３を把手として直接手で把持して操作できる構造となっている。
【００３９】
図６は貼付けられた貼付シート１又は剥離シート１ａを剥離するために用いる剥離用具１７を示す斜視図で、先端に貼付けられたシート端をめくり取る剥離爪１７ａに柄１７ｂを取付けて構成されている。
【符号の説明】
【００４０】
１    貼付シート
１ａ    剥離シート
２    本体部
３    ホルダー（把手部）
４    ハンドル
７    貼付枠
８    連結体
９    貼付プレート
１１ａ，１１ｂ    回動支点
１２    ラバー
１２ａ    仮付面
１３，１４    ストッパー
１６    接触部
【図１】
0003220969.tif 000003
【図２】
0003220969.tif 000004
【図３】
0003220969.tif 000005
【図４】
0003220969.tif 000006
【図５】
0003220969.tif 000007
【図６】
0003220969.tif 000008
【手続補正書】
【提出日】平成31年2月12日(2019.2.12)
【手続補正１】
【補正対象書類名】実用新案登録請求の範囲
【補正対象項目名】請求項４
【補正方法】変更
【補正の内容】
【請求項４】
貼付シート（１）の肌面への貼付固定強度を貼付プレート（９）への貼付シート（１）の仮付けの固定強度より強力な固定強度に設定してなる請求項１〜３のいずれかに記載の肌面用貼付シートの貼付補助具。